(57)【要約】  方法及び装置において、時変バックオフ値が用いられ、それにより、情報が有効であると考えられる制限された期間において、セル負荷の違いを考慮することができる。また、バックオフ値を設定するときに、セカンダリキャリアの初期ＤＰＣＣＨ電力設定に対して利益のある他の時変値を考慮することもできる。【選択図】  図４
2012532484.tif 000002
【特許請求の範囲】
【請求項１】
セルラ無線システムにおいてセカンダリキャリアでデータを送信するときにユーザ装置により使用される前記セカンダリキャリアでの、物理上りリンク制御チャネル及びデータチャネルで用いられる送信電力を前記ユーザ装置において選択する方法であって、
前記上りリンク制御チャネル及びデータチャネルの電力レベルのための時変バックオフ値を決定するステップ（４０１）と、
前記上りリンク制御チャネル及びデータチャネルの送信電力を更新するために、決定された前記時変バックオフ値を選択するステップ（４０３）と、
を有することを特徴とする方法。
【請求項２】
前記上りリンク制御チャネル及びデータチャネルは個別物理制御チャネルである、
ことを特徴とする請求項１に記載の方法。
【請求項３】
前記時変バックオフ値は前記セルラ無線システムからのメッセージにおいて受信される、
ことを特徴とする請求項１又は２に記載の方法。
【請求項４】
前記ユーザ装置がＣＥＬＬ＿ＤＣＨ状態に入ると、２つのバックオフ値が選択される、
ことを特徴とする請求項１から３のいずれか１項に記載の方法。
【請求項５】
−前記ユーザ装置がＣＥＬＬ＿ＤＣＨ状態に入り、前記ユーザ装置が続いてセカンダリ上りリンクキャリアのアクティブ化のための高速共有制御チャネルの指令を無線基地局から受信した場合と、
−前記ユーザ装置が非アクティブ化され、続いて再度アクティブ化され、非アクティブ化と再度のアクティブ化との間の時間が所定値より小さい場合と、
のいずれかの場合に前記時変バックオフ値が使用される、
ことを特徴とする請求項１から４のいずれか１項に記載の方法。
【請求項６】
前記時変バックオフ値はセル負荷に基づいて設定される、
ことを特徴とする請求項１から５のいずれか１項に記載の方法。
【請求項７】
セルラ無線システムにおいてセカンダリキャリアでデータを送信するときにユーザ装置により使用される前記セカンダリキャリアでの、物理上りリンク制御チャネル及びデータチャネルで用いられる送信電力を前記ユーザ装置において選択する装置であって、
前記上りリンク制御チャネル及びデータチャネルの電力レベルのための時変バックオフ値を決定する手段（６０１）と、
前記上りリンク制御チャネル及びデータチャネルの送信電力を更新するために、決定された前記時変バックオフ値を選択する手段（６０１）と、
を有することを特徴とする装置。
【請求項８】
前記上りリンク制御チャネル及びデータチャネルは個別物理制御チャネルである、
ことを特徴とする請求項７に記載の装置。
【請求項９】
前記セルラ無線システムからのメッセージにおいて前記時変バックオフ値を受信する手段（６０１）、
を有することを特徴とする請求項７又は８に記載の装置。
【請求項１０】
前記ユーザ装置がＣＥＬＬ＿ＤＣＨ状態に入るときに２つのバックオフ値を選択する手段（６０１）
を有することを特徴とする請求項７から９のいずれか１項に記載の装置。
【請求項１１】
−前記ユーザ装置がＣＥＬＬ＿ＤＣＨ状態に入り、前記ユーザ装置が続いてセカンダリ上りリンクキャリアのアクティブ化のための高速共有制御チャネルの指令を無線基地局から受信した場合と、
−前記ユーザ装置が非アクティブ化され、続いて再度アクティブ化され、非アクティブ化と再度のアクティブ化との間の時間が所定値より小さい場合と、
のいずれかの場合に前記時変バックオフ値を使用する手段（６０１）
を有することを特徴とする請求項７から１０のいずれか１項に記載の装置。
【請求項１２】
セル負荷に基づいて設定された時変バックオフ値を使用する手段（６０１）
を有することを特徴とする請求項７から１１のいずれか１項に記載の装置。
【請求項１３】
セルラ無線システムのセカンダリキャリアでデータを送信するときにユーザ装置により使用される前記セカンダリキャリアでの、物理上りリンク制御チャネル及びデータチャネルで使用される前記ユーザ装置が使用するための送信電力値を、ネットワークノード（７００）において生成する方法であって、
前記上り制御チャネル及びデータチャネルの電力レベルのための時変バックオフ値を生成するステップ（５０１）と、
前記時変バックオフ値を前記ユーザ装置へ送信するステップ（５０３）と、
を有することを特徴とする方法。
【請求項１４】
セルラ無線システムのセカンダリキャリアでデータを送信するときにユーザ装置により使用される前記セカンダリキャリアでの、物理上りリンク制御チャネル及びデータチャネルに使用され、前記ユーザ装置が使用するための送信電力値を生成するように適合されるネットワークノード（７００）であって、
前記上り制御チャネル及びデータチャネルの電力レベルのための時変バックオフ値を生成する手段（７０１）と、
前記時変バックオフ値を前記ユーザ装置へ送信する手段（７０１）と、
を有することを特徴とするネットワークノード。
【発明の詳細な説明】
【技術分野】
【０００１】
本発明は、１つ以上の上りリンクチャネルを用いたセルラ無線システムで用いる方法及び装置に関する。
【背景技術】
【０００２】
エンハンスド・アップリンク・チャネル（Ｅ−ＤＣＨ）は、ユーザ装置（ＵＥ）により使用される、上りリンクにおいてデータを送信するための個別チャネルである。リリース８までは、ＵＥはデータを１つのＥ−ＤＣＨのみで送信することができた。第３世代パートナーシップ・プロジェクト（３ＧＰＰ）は、現在、デュアルキャリアＨＳＵＰＡとしても知られているデュアルセルＨＳＵＰＡ（高速上りリンクパケットアクセス、High Speed Uplink Packet Access）について、リリース９のＨＳＰＡに向けて標準化を行っている。このリリースではＵＥは、最大２つのキャリアのそれぞれにおいて１つのＥ−ＤＣＨを送信することができる。また、３ＧＰＰでは、３〜４キャリアを伴うマルチキャリアの高速パケットアクセス（ＨＳＰＡ）を導入することが提案されている。
【０００３】
デュアルキャリア高速上りリンクパケットアクセス（ＤＣ−ＨＳＵＰＡ）のために構成されるＵＥがＣＥＬＬ＿ＤＣＨ状態に入ると、プライマリの上りリンク（以下、これをサービングＨＳ−ＤＳＣＨセルに対応するサービングＥ−ＤＣＨセルという）がアクティブになるであろう。したがって、その他の上りリンクのキャリア（この文書で、以下、セカンダリ上りリンクキャリアと呼ぶ）は初期的には非アクティブにされるであろう。ＵＥがこれらのセカンダリ上りリンクキャリアで送信することを可能とするため、ノードＢとも呼ばれる無線基地局は高速共有制御チャネル（ＨＳ−ＳＣＣＨ、High Speed Shared Control Channel）のアクティブ化指令を送信する必要がある。そのような指令の受信により、ＵＥは、上りリンクの同期を確立することができるように、個別物理制御チャネルでの送信を開始する。これがアクティブ化されていると、ＵＥはセカンダリキャリアでの送信を開始してもよい。ＵＥは、（プライマリ上りリンクキャリアでのみデータを送信するのとは対照的に）複数のキャリアで同時に送信することにより、一般的により高いデータレートを達成することができるため、ＣＥＬＬ＿ＤＣＨ状態に入った直後にノードＢがセカンダリ上りリンクのためのアクティブ化指令を送信するという状況は頻繁に生じると考えられる。
【０００４】
現在、非特許文献１及び非特許文献２に見られるように、ＵＥがセカンダリ上りリンクキャリアをアクティブ化させるためのＨＳ−ＳＣＣＨ指令を受信するとき、初期的なＤＰＣＣＨの送信電力は、
Uplink DPCCH transmit power＝PDCCH,1−UE_Sec_Tx_Power_Backoff  （式１）
のように計算されるべきことが、３ＧＰＰで合意されている。ここで、PDCCH,1は、プライマリ上りリンクキャリアでのＤＰＣＣＨ送信電力であり、UE_Sec_Tx_Power_Backoffは、ＵＥがＣＥＬＬ＿ＤＣＨに入ったときに無線ネットワーク制御装置（ＲＮＣ）により構成されるパラメータである。原理的に、これは、正または負の値をとりうる。後者は、セカンダリキャリアでの初期的なＤＰＣＣＨ電力がプライマリキャリアで用いられるＤＰＣＣＨ電力を超えるということを示唆する。また、バックオフは、（キャリア周波数の潜在的な違いのような）静的パラメータと、経時的に変化する動的パラメータ（例えば、セルの負荷）とを反映し得ることに注意すべきである。
【０００５】
例えば、ＵＥがＣＥＬＬ＿ＤＣＨに入った時刻におけるセカンダリ上りリンクキャリアの負荷がプライマリキャリアの負荷より高く、ノードＢがそのキャリアでの負荷状態が変化しないだろう程に短い期間の中でセカンダリキャリアをアクティブ化するならば、セカンダリ上りリンクキャリアのための同期が達成されるまでの時間を削減することができるであろうことから、負のバックオフ値（すなわち、プライマリキャリアでのＤＰＣＣＨ電力レベルを超えるセカンダリでの初期的なＤＰＣＣＨ電力）を用いることが有利になりうる。
【０００６】
既存のセルラ無線システムにおいて性能を改善する一定の要求がある。したがって、マルチキャリアのセルラ無線システムにおいてセカンダリキャリアのためのバックオフ設定の改良を可能とする方法及びシステムに対する要求が存在する。
【先行技術文献】
【非特許文献】
【０００７】
【非特許文献１】３ＧＰＰ  Ｔｄｏｃ  Ｒ１−０９２２４３、“Ｎｏｔｅｓ  ｆｒｏｍ  ＲＡＮ１  ａｄｈｏｃ  ｓｅｓｓｉｏｎ  ｏｎ  ＤＣ−ＨＳＵＰＡ、ＤＣ−ＨＳＤＰＡ  ＭＩＭＯ、２ｍｓ  ＴＴＩ  Ｅｘｔｅｎｓｉｏｎ  ａｎｄ  ＴｘＡＡ  ｅｘｔｅｎｓｉｏｎ  ｆｏｒ  ｎｏｎ−ＭＩＭＯ  ＵＥｓ”
【非特許文献２】３ＧＰＰ  Ｔｄｏｃ  Ｒ１−０９２２５４、“Ｄｒａｆｔ  ２５．２１４  ＣＲ  ｆｏｒ  Ｉｎｔｒｏｄｕｃｔｉｏｎ  ｏｆ  ＤＣ−ＨＳＵＰＡ”
【発明の概要】
【発明が解決しようとする課題】
【０００８】
本発明の目的は、セルラ無線システムにおいて、セカンダリキャリアのための改善されたバックオフパラメータ設定を提供することである。
【課題を解決するための手段】
【０００９】
この目的とその他のものは添付の特許請求の範囲で定められるような方法及び装置により得られる。
【００１０】
上で述べたように、バックオフ（UE_Sec_Tx_Power_Backoff）は、ＵＥがＣＥＬＬ＿ＤＣＨに入るときに、ＲＮＣにより構成される。しかしながら、発明者により認識されたように、セカンダリ上りリンクキャリアは、多数の異なる時間においてアクティブ化され、非アクティブ化され、そして再度アクティブ化されることができる。このように、２つ（またはそれ以上）のキャリアに対する負荷状態は、ＵＥが初期的にＣＥＬＬ＿ＤＣＨ状態に入った時と比べて変化してしまうかもしれない。バックオフ UE_Sec_Tx_Power_BackoffがＲＮＣにより構成されるように、ノードＢがセカンダリ上りリンクキャリアをアクティブ化（および／または再度アクティブ化）する度に同一の値が使われなければならないであろう。ＵＥがセカンダリ上りリンクキャリアで高すぎる初期的なＤＰＣＣＨ電力を用いることは望ましくないため、ＲＮＣは、バックオフの値を決めるときに、潜在的な負荷の変化を考慮する必要があるであろう。実際、これは、バックオフ UE_Sec_Tx_Power_Backoffが控え目に設定されることを要求し、それは、同様に、ＵＥがＣＥＬＬ＿ＤＣＨ状態に入る直後にアクティブ化される状況において、セカンダリ上りリンクでの同期の確保のために不必要に高い遅延をもたらすことになるであろう。
【００１１】
１つの実施形態によれば、セルラ無線システムにおけるセカンダリキャリアでデータを送信するときの、ユーザ装置により用いられるセカンダリキャリアでの、個別物理制御チャネルのような、物理上りリンク制御チャネル及びデータチャネルで用いる送信電力を選択する方法が提供される。その方法は、上りリンク制御チャネル及びデータチャネルの電力レベルに対する時変バックオフ値を決定するステップと、上りリンク制御チャネル及びデータチャネル送信電力を更新するための受信した時変バックオフ値を選択するステップとを含むことができる。これにより、セルラ無線システムにおける性能の向上を達成することができる。
【００１２】
１つの実施形態によれば、時変バックオフ値はセルラ無線システムネットワークからエア・インターフェースを介してシグナリングされるメッセージで受信される。時変バックオフ値はまた、適用可能な標準におけるいくつかの関係により決定されることができ、その場合、エア・インターフェースを介してバックオフ値をシグナリングする必要はない。
【００１３】
本発明によれば時変バックオフ値が用いられ、それにより、情報が有効と考えられる制限された期間に対して、セルの負荷の違いが考慮されうる。また、セカンダリキャリアの初期的なＤＰＣＣＨ電力設定のために利益のある他の時変変数も、バックオフ値を設定するときに考慮されうる。そのような他の変数の例は、使用されるキャリア周波数やユーザ／サービスタイプでありうる。
【００１４】
１つの実施形態によれば、時変バックオフ値は、以下の場合に設定される。
−ＵＥがＣＥＬＬ＿ＤＣＨ状態に入り、無線基地局ノードＢが続いてセカンダリ上りリンクキャリアのアクティブ化のためにＨＳ−ＳＣＣＨ指令を送信する場合。
−ＵＥが非アクティブ化されて続いて再度アクティブ化され、非アクティブ化とアクティブ化との間の経過期間がある値より小さい場合。この場合、ＵＥは、最後に使用された電力レベルにセカンダリ上りリンクキャリアの初期的なＤＰＣＣＨ電力を基づかせることができる。
【００１５】
１つの実施形態によれば、セルラ無線システムにおいてセカンダリキャリアでデータを送信するときにユーザ装置が用いるセカンダリキャリアでの、物理上りリンク制御チャネル及びデータチャネルで用いられるユーザ装置で使用するための送信電力値を生成するためのネットワークノードにおける方法が提供される。その方法は、上りリンク制御チャネル及びデータチャネル電力レベルに対する時変バックオフ値を生成するステップと、時変バックオフ値をユーザ装置へ送信するステップとを含むことができる。
【００１６】
説明される様々な処理と方法が実質的にコンピュータ可読媒体により表されてもよいことと、コンピュータまたはプロセッサにより実行されることができることが理解されるであろう。
【００１７】
上記による方法と機能は、ソフトウェアを実行できるハードウェアと同様に、専用のハードウェアを備える装置の使用を通じて提供されることができる。プロセッサにより提供される場合、機能は、単一の専用のプロセッサにより、単一の共用のプロセッサにより、又は、それらのうちいくつかが共用されても分散されてもよい複数の個別のプロセッサにより、提供されてもよい。さらに「プロセッサ」又は「コントローラ」は、制限なく、ディジタル・シグナル・プロセッサ（ＤＳＰ）ハードウェア、ＡＳＩＣハードウェア、リード・オンリー・メモリ（ＲＯＭ）、ランダム・アクセス・メモリ（ＲＡＭ）、および／または他の記憶媒体を含んでもよい。
【００１８】
ここで、非制限的な例を介して、そして添付の図面を参照して、本発明について説明する。
【図面の簡単な説明】
【００１９】
【図１】セルラ無線システムの一般的概念を示す図。
【図２】電力制御手法を説明する図。
【図３】電力制御手法を説明する図。
【図４】バックオフ値を選択するときのいくつかの手続的ステップを説明するフローチャート。
【図５】時変バックオフ値を生成するときに実行されるいくつかの手続的ステップを説明するフローチャート。
【図６】時変バックオフ値を使用するように適合されたユーザ装置の図。
【図７】時変バックオフ値を生成するための制御装置の図。
【発明を実施するための形態】
【００２０】
非制限的な例を通じて本発明についてより詳細に説明する。以下の説明の焦点は、（デュアルキャリアＨＳＵＰＡがリリース９でこの状態に制限されるため）ＵＥがＣＥＬＬ＿ＤＣＨ状態に入る場合についてのものであるが、本発明は、ＵＥが複数のキャリアで送信することが許され、キャリアのいくつかが非アクティブ化されることができる場合、他の状態（例えばＣＥＬＬ＿ＦＡＣＨ）にも同様に適用することができる。以下の説明は、広帯域符号分割多元接続（ＷＣＤＭＡ）システムとの関連で与えられる。しかしながら、本発明は、要求に基づいてネットワークにより複数のキャリアが動的に集められ（アクティブ化／非アクティブ化され）ることができる他の技術に用いることができる。１つのそのような例は、ロング・ターム・エボリューション（ＬＴＥ）アドバンストにおける「キャリアアグリゲーション」である。
【００２１】
図１に、セルラ無線システム１００の一般的な図を示す。システム１００は、システム１００が無線アクセスを提供する地理的なエリアを共にカバーするいくつかのセル１０１を含む。各セル１０１は、無線ネットワーク制御装置（ＲＮＣ）１０５と通信する無線基地局１０３と関連付けられる。同様に、ＲＮＣはコアネットワーク（ＣＮ）１０７に接続される。セルラ無線システムによりカバーされる地理的なエリアにおいて、ここではユーザ装置（ＵＥ）１０９と称される移動局は、エア・インターフェースを介して、無線基地局１０３を介してセルラ無線システムと接続してもよい。ＵＥ１０９は２つ以上の上りリンクキャリアを伴うシステムと接続されうる。ＵＥ１０９は１つより多くの無線基地局１０３に同時に接続されうる。
【００２２】
デュアルキャリアＨＳＵＰＡでは、ＵＥは２つの上りリンクキャリアで２つのエンハンスト個別チャネル（Ｅ−ＤＣＨ）を用いてデータを送信することが許容されうる。将来のリリースでは、ＵＥはさらに多くのキャリアでデータを送信することが許容されるかもしれない。
【００２３】
ＵＥがＣＥＬＬ＿ＤＣＨに入り、複数セルで構成される場合、上りリンクにおいてプライマリ上りリンクキャリアのみがアクティブ化される。セカンダリキャリアの初期状態は、このように、非アクティブ化されている。ＵＥが許可され、それらにおいてデータを送信するために、ノードＢはＨＳ−ＳＣＣＨアクティブ化指令を送信する必要がある。このアクティブ化指令を受信すると、ＵＥは、セカンダリ上りリンクにおいて初期電力レベルでＤＰＣＣＨを送信することにより、同期手順を開始する。
【００２４】
３ＧＰＰでは、ＵＥがＨＳ−ＳＣＣＨアクティブ化指令を受信すると、セカンダリ上りリンクキャリアにおける初期ＤＰＣＣＨ電力レベルは、
Uplink DPCCH transmit power＝PDCCH,1−UE_Sec_Tx_Power_Backoff  （式２）
であるべき、すなわち、プライマリキャリアで用いられるＤＰＣＣＨ電力レベルから、ＵＥがＣＥＬＬ＿ＤＣＨ状態に入るときに無線ネットワーク制御装置（ＲＮＣ）により設定されるいくらかのバックオフを引いたものであるべきことが合意されている。このバックオフは正であっても負であってもよいことに注意されたい。負のバックオフはセカンダリキャリアでの初期ＤＰＣＣＨ電力がプライマリキャリアでのＤＰＣＣＨ電力より大きい状況が反映されるであろう。セカンダリキャリアの初期状態が常に非アクティブであり、両方のキャリアで送信することが許容される場合にほとんどの環境におけるＵＥがより高速なデータレートを達成できるため、ＵＥがＣＥＬＬ＿ＤＣＨに入った直後にセカンダリ上りリンクキャリアがアクティブ化される状況はよく起こるであろう。そのような状況でより高いデータレートを達成するため、例えば、相対的なセル負荷のようないくつかのパラメータに依存する動的なバックオフを有することが有利であることが分かった。
【００２５】
また、セカンダリキャリアは、多くのそして様々の時刻において、アクティブ化され、非アクティブ化され、そして再度アクティブ化されうる。気付かれているように、これらにおける負荷状態は、ＵＥが初期的にＣＥＬＬ＿ＤＣＨに入ったときに経験したものと非常に異なるかもしれない。したがって、セカンダリキャリアがアクティブ化されるたびに同一のバックオフが使用される場合、セル負荷のような時変の特徴を考慮することはできない。
【００２６】
システムにおける状況は時変であるという事実を利用するために、時変電力バックオフが使用される。１つの実施形態によれば、これはＵＥがＣＥＬＬ＿ＤＣＨに入るときに２つのバックオフ値を設定することにより達成される。これらは、UE_Backoff_1とUE_Backoff_2と呼ばれることができる。UE_Backoff_1は、セル負荷（そして場合により他の時変の効果）を考慮するバックオフを表し、さらに、UE_Backoff_2は、セル負荷についての情報がＵＥにとって利用可能でない（又は古い情報のみが利用可能である）場合に用いることができる、長期にわたるデフォルトのバックオフに対応する。
【００２７】
１つの実施形態によれば、上りリンクＤＰＣＣＨ送信電力を設定するための、UE_Backoff_1とUE_Backoff_2として構成される２つのバックオフパラメータは、UE_Backoff_1とΔ＝UE_Backoff_2−UE_Backoff_1としてＵＥへ送信されることができ、これにより必要なシグナリングオーバーヘッドを削減することができる。また、これはＵＥがUE_Backoff_2＝Δ＋UE_Backoff_1を取り出すことを可能とするであろう。さらに、ＵＥがソフトハンドオーバ（ＳＨＯ）中である場合、UE_Backoff_1とUE_Backoff_2の値は、特定のＵＥに対するアクティブな集合に属する全てのキャリアにおける相対的な負荷に依存するように設定されることができる。
【００２８】
１つの実施形態によれば、ＣＥＬＬ＿ＤＣＨに入っており、UE_Backoff_1とUE_Backoff_2とを取得しているＵＥは、ある期間の後に−それを超えたときのＵＥがＣＥＬＬ＿ＤＣＨに入ったときのセル負荷が−古いと考えることができるように、いくつかの方法に従って、例えば、
(UE_Backoff_1)t＝f(UE_Backoff_1,t)  （式３）
と表されるように、UE_Backoff_1の値を更新することができる。この時刻の後に、ＵＥはUE_Backoff_2を利用する。式３では、UE_Backoff_1はＵＥがＣＥＬＬ＿ＤＣＨに入ったときに設定されたバックオフの初期値であり、ｔはＵＥがＣＥＬＬ＿ＤＣＨに入ってから経過した時間であり、(UE_Backoff_1)tは、ＵＥが時間ｔ経過後に利用すべきバックオフの値であり、ｆは関数を表す。
【００２９】
以下では、いくつかの典型的な上記に従ってバックオフパラメータを時間で動的に設定するための設定を示す。再び、２つのパラメータとの関連で例を与える。どのようにUE_Backoff_1とUE_Backoff_2を設定することができ、どのようにUE_Backoff_1が更新されることができるかのいくつかの例を図２と図３にそれぞれ図解する。UE_Backoff_1を更新するための他の手法も考えられることに注意されたい。
【００３０】
図２は、セカンダリサービングＥ−ＤＣＨセルのセル負荷がプライマリセルの負荷を超えるシナリオにおいて、どのようにUE_Backoff_1とUE_Backoff_2を設定することができ、更新することができるかを図解する例である。図において、実線と鎖線の曲線はUE_Backoff_1の値を更新する２つの方法を表している。
【００３１】
図３は、セカンダリサービングＥ−ＤＣＨセルのセル負荷がプライマリサービングＥ−ＤＣＨセルの負荷より小さいシナリオにおいて、どのようにUE_Backoff_1とUE_Backoff_2を設定することができるかの例である。図において、実線と鎖線の曲線はUE_Backoff_1の値を更新する２つの方法を表している。
【００３２】
ＵＥがそのセカンダリ上りリンクキャリアをアクティブ化させたときに、UE_Backoff_1を更新することができる。セカンダリキャリアが非アクティブ化され、その後再度アクティブ化される状況では、セカンダリキャリアに対する初期ＤＰＣＣＨ電力レベルとしてUE_Backoff_1の値を使用することができる。この状況は、例えば、セカンダリおよび／またはプライマリ下りリンクキャリアにおいて下りリンク同期が失われたときに起こりうる。また、ＵＥは、一度セカンダリ上りリンクキャリアでの送信を止めると、そのUE_Backoff_1の値を更新するように構成されることができることにも注意されたい。これは、例えば、情報が古くなり、UE_Backoff_1の値がUE_Backoff_2に到達するまで、（ＵＥがＣＥＬＬ＿ＤＣＨに入ったときにUE_Backoff_1を更新するのに用いられる）式３と共に上述した方法を用いることにより実行されることができる。
【００３３】
図４には、ユーザ装置によりセカンダリキャリアでデータを送信するときに使用されるセカンダリキャリアにおける、上りリンクＤＰＣＣＨ送信電力を選択するときに実行されるいくつかの手順のステップを図解するフローチャートが描かれている。まず、ステップ４０１では、セカンダリキャリアの個別物理制御チャネルの電力レベルのための時変バックオフ値が受信される。次に、ステップ４０３において、セカンダリキャリアの個別物理制御チャネルの送信電力を更新するために、受信された時変バックオフ値が選択される。  図５には、ユーザ装置により上りリンク送信で使用されるセカンダリチャネルの個別物理制御チャネルの送信電力のためのバックオフ値を生成するときの、セルラ無線システムのシステムノードの制御装置において実行されるいくつかの手順のステップを図解するフローチャートを示す。まず、ステップ５０１において、セカンダリキャリアの個別物理制御チャネルの電力レベルのための時変バックオフ値が生成される。次に、ステップ５０３において、時変バックオフ値はユーザ装置へ送信される。
【００３４】
図６は、ここで説明されたような方法を実装するように適合されるユーザ装置６００である。ユーザ装置６００は、メモリ６０３に記憶されたコンピュータプログラム命令のセットで動作するマイクロプロセッサ６０１を備えることができる。コンピュータプログラム命令は、マイクロプロセッサ６０１により実行されるときに、ここで説明したような方法をユーザ装置に実行させる。
【００３５】
図７は、セルラ無線システムのノードに実装され、組み入れられるように適合される制御装置７００である。制御装置は、特に、セルラ無線システムの無線ネットワーク制御装置又は無線基地局に実装されることができる。制御装置が実装されるノードは、典型的には、特定の実装のために、近い将来、セルラ無線システムで用いられる技術に依存するであろう。制御装置７００は、メモリ７０３に記憶されたコンピュータプログラム命令のセットで動作するマイクロプロセッサ７０１を備えることができる。コンピュータプログラム命令は、マイクロプロセッサ７０１により実行されるときに、ここで説明したような方法を制御装置に実行させる。
【００３６】
上述の例は、ＣＥＬＬ＿ＤＣＨ状態にあるＵＥという状況で与えられているところ、ＵＥが複数のキャリアで送信することが許容される場合で、そのキャリアのうちいくつかが状態のように非アクティブ化とアクティブ化されうる場合、同一の方法が他の状態、例えば、ＣＥＬＬ＿ＦＡＣＨ状態に対しても適用することができる。さらに、また、複数のキャリアが要求に基づいてネットワークにより動的に集約され（アクティブ化され、非アクティブ化され）る、ＬＴＥ（Ａｄｖａｎｃｅｄ）のためのような、他の技術において、本発明を用いることもできる。
【００３７】
ここで説明されたようなセカンダリキャリアの、特にセカンダリサービングＥ−ＤＣＨセルの、初期ＤＰＣＣＨ電力レベルのための動的にバックオフを選択する方法と装置を用いることにより、セカンダリキャリアがアクティブ化される場合で、現在のセル負荷についての知識が存在する場合、同期遅延が低減され、また、同時に、相対的なセル負荷情報が古くなり又は別途不正確である場合に、ＵＥがセカンダリキャリアで高すぎる初期電力レベルを使用するリスクが最小化されるであろう。
【図１】
2012532484.tif 000003
【図２】
2012532484.tif 000004
【図３】
2012532484.tif 000005
【図４】
2012532484.tif 000006
【図５】
2012532484.tif 000007
【図６】
2012532484.tif 000008
【図７】
2012532484.tif 000009
【国際調査報告】
2012532484.tif 000010
2012532484.tif 000011
2012532484.tif 000012
2012532484.tif 000013